(57)【要約】【課題】簡易な構成で汎用性を確保でき、繰り返し使用が可能な使用済み製品の保護部材を提供する。【解決手段】リサイクルするために回収される使用済み製品１０を保護する使用済み製品の保護部材１において、前記保護部材１は、ゴム材質で長尺形状に形成されており、前記使用済み製品１０に開閉部１１を含み巻き付けられて装着され、この使用済み製品１０を保護するようになっている。【選択図】      図２
2004203451.tif 000002
【特許請求の範囲】
【請求項１】
リサイクルするために回収される使用済み製品を保護する使用済み製品の保護部材において、
前記保護部材は、ゴム材質で長尺形状に形成されており、前記使用済み製品に開閉部を含み巻き付けられて装着され、この使用済み製品を保護するようになっていることを特徴とする使用済み製品の保護部材。
【請求項２】
保護部材の表面は、前記使用済み製品の外表面よりも滑らかな表面となっている請求項１記載の使用済み製品の保護部材。
【請求項３】
保護部材は、内部に空洞部が形成されている請求項１または２記載の使用済み製品の保護部材。
【請求項４】
保護部材の端部には、前記使用済み製品に巻き付けられた保護部材の部分に、係止可能な締付け代部が設けられている請求項１ないし３のいずれかに記載の使用済み製品の保護部材。
【請求項５】
保護部材の長さは、前記使用済み製品の周囲を所定回数、巻き回わせる長さとされている請求項１ないし４のいずれかに記載の使用済み製品の保護部材。
【発明の詳細な説明】
【０００１】
【発明の属する技術分野】
この発明は、市場から使用済み製品をリサイクルするために回収するときに、この製品を保護するために用いられる使用済み製品の保護部材に関するものである。
【０００２】
【従来の技術】
近年、環境保護に対する意識の高まりから、製造業の分野では、製品の長寿命・小型化、省エネルギー化、リサイクルなどを推進し、最小の資源で最大の社会的利益・企業利益を創出することが望まれている。すなわち、製品の企画・開発・設計・資材の調達・生産から、販売・物流・使用・リサイクル・廃棄に至るすべての段階において、環境への負荷が少なく安全に配慮した製品とサービスを提供するように要請されている。特に、業務用途のＯＡ機器では、機器を使用した後の廃棄処理などもメーカー側の義務として法制度化されている。これに加えて、このようなＯＡ機器を含めた電気製品の分野では、使用済み製品を回収して材料資源として利用するだけではなく、部品の再使用や製品の再使用が実用化されている。
【０００３】
他方、製品の輸送に用いられる梱包材も、環境負荷を低減させたものが各種提案されている。例えば、板状部材に吸着機能を有した緩衝部材を設けた構成の梱包材が知られている（例えば、特許文献１参照。）。この梱包材によれば、緩衝部材を被梱包体に吸着させ、この緩衝部材を介して板状部材を被梱包体に取り付けられるので、大型被梱包体への取付けや取外しが容易で梱包作業時間が短くて済み、輸送中の損傷を防止して、繰返し再使用ができ、しかも廃材量を低減できるとされている。略ディスク形状の角部保護部材を製品を収納した容器の角部に脱着自在に取付け、容器およびこの容器に取付けられた各部保護部材を柔軟材層により完全に包んだ構成の包装材が知られている（例えば、特許文献２参照。）。この包装材によれば、製造や貯蔵が容易で、完全にリサイクル可能となり、しかも輸送や船積み際して高耐衝撃性を確保して保護できる経済的な包装材であるとされている。強度確保のための折りたたみ式の外枠と、空気注入で自動で立体形状化して品物に対する上下ショックの吸収する底面の空気マットと、四側面に設けた緩衝用の空気マットと、上カバ−とからなる構成の梱包材が知られている（例えば、特許文献３参照。）。この梱包材によれば、箱形状への組立てが不要となり、緩衝材の形状が自由化され、小型収納、軽量化されて、しかもリサイクル化を図ることが可能となるので、物流効率を向上できるとされている。
【０００４】
しかしながら、使用済み製品を市場から回収するために搬出入や輸送する場合には、衝撃・振動による製品の破損や外傷の防止が不充分であるという問題があった。すなわち、使用済み製品をなるべく多く輸送スペースに収容して、輸送車両などの積載効率を高めることを優先させ、輸送コストを削減するようにしていた。このため、現状では、スペ−スをとる緩衝部材を使用せず、使用済み製品をそのまま積載している。他方、上記の梱包材および包装材は、リサイクル再使用が可能とされており、製品の納入時や設置後には、リサイクル用に回収されることが多い。このため、製品を使用済み製品として回収するときには、梱包材および包装材は、残存しないことになる。
【０００５】
【特許文献１】
特開２００２−２８０９号公報（第２頁、図１，２）
【特許文献２】
特開平７−１４９３７０号公報（第２〜４頁、図４〜６）
【特許文献３】
特開平７−１８７２４０号公報（第２頁、図１〜３）
【０００６】
【発明が解決しようとする課題】
そこでこの発明は、前記のような従来のものが有する問題点を解決し、簡易な構成で汎用性が確保でき、繰り返し使用が可能な使用済み製品の保護部材を提供することを目的とする。
【０００７】
【課題を解決するための手段】
前記目的を達成するために、請求項１に記載の発明は、リサイクルするために回収される使用済み製品を保護する使用済み製品の保護部材において、前記保護部材は、ゴム材質で長尺形状に形成されており、前記使用済み製品に開閉部を含み巻き付けられて装着され、この使用済み製品を保護するようになっていることを特徴としている。
【０００８】
請求項２に記載の発明は、請求項１において、保護部材の表面は、前記使用済み製品の外表面よりも滑らかな表面となっている。
【０００９】
請求項３に記載の発明は、請求項１または２において、保護部材は、内部に空洞部が形成されている。
【００１０】
請求項４に記載の発明は、請求項１ないし３のいずれかにおいて、保護部材の端部には、前記使用済み製品に巻き付けられた保護部材の部分に、係止可能な締付け代部が設けられている。
【００１１】
請求項５に記載の発明は、請求項１ないし４のいずれかにおいて、保護部材の長さは、前記使用済み製品の周囲を所定回数、巻き回わせる長さとされている。
【００１２】
【発明の実施の形態】
この発明の実施形態を図面により説明する。図１は、この実施形態の保護部材の構成を示し、（Ａ）は正面図、（Ｂ）は平面図、（Ｃ）は、一端部を示す拡大した斜視図、（Ｄ）は拡大した右側面図であり、図２は、装着した状態を示す斜視図であり、図３は、複数の製品を積載した状態を示す概略図である。なお、この実施形態では、図２に示すように、リサイクルするために回収される使用済み製品は、業務用途の大型複写機１０とした例を説明する。この複写機１０は開閉部として外開き式の前面カバー１１を有し、この前面カバー１１は、主に複写機１０内部に生じた用紙ジャムを解除するために開かれるようになっている。
【００１３】
保護部材１は、図１（Ａ）〜（Ｄ）に示すように、ゴム材質で長尺形状に形成された部材本体２と、この部材本体２の両端に一体形成された締め付け代部３，４とを具えている。
【００１４】
すなわち、部材本体２は、ゴム材質によって、内部に空洞部５が形成された概略厚肉状のホース形状に形成されている。この空洞部５は、略円形断面に形成された部材本体２の中心で、部材本体２の一端から他端までの全長に渡って連続的に形成されており、部材本体２の外径や肉厚は、部材本体２が複写機１０に巻き付けられても、空洞部５が潰れない程度の外径や肉厚が設定されている。他方、部材本体２の長さは、複写機１０の大きさに対応して、複写機１０の側面の全周を所定回数、巻き回せる長さに設定されている。したがって、保護部材１は、複写機１０の下部から上部にまで、概略らせん状の経路を形成するように巻き回されながら、至ることができるようにしている。
【００１５】
締め付け代部３，４は、部材本体２の両端部に一体に設けられ、これらの端部から部材本体２の長さ方向に向けて延在された略ベルト状に形成されている。締め付け代部３，４の横断面は、円弧状に形成されており、締め付け代部３，４の外面が部材本体２の外周面に連続されている。締め付け代部３，４の厚さは、部材本体２の径の厚さよりも薄く設定され、締め付け代部３，４を任意の箇所で厚さ方向に折り曲げ可能としている。他方、締め付け代部３，４の長さは、複数回数の折り曲げが可能に長さが充分に確保されている。
【００１６】
したがって、図４に示すように、既に複写機１０を１周して巻き付けられている部材本体２の中間箇所を挟むように、締め付け代部３，４をいくつかの回数折り曲げることにより、締め付け代部３，４を前記の中間箇所に係止できる。すなわち、この締め付け代部３，４を折り返して両者２，３，４を交差させるときには、締め付け代部３，４や締め付け代部３，４側に部材本体２自体を伸展させながら、前記の中間箇所の表裏を通過させている。したがって、ゴム材質で形成された部材本体２および締め付け代部３，４に緊縮力が生じる。このため、この緊縮力によって、両者２，３，４が互いに締め付け合うので、締め付け代部３，４が部材本体２に自ら外れないよう組み付けられる。この結果、締め付け代部３，４が部材本体２に係止される。このように、係止金具などを使用することなく、保護部材１を複写機１０に巻き付けて装着した状態に固定できる。
【００１７】
しかも、締め付け代部３，４を部材本体２に安定して簡易に係止できることになる。すなわち、部材本体２同士を結んで係止する場合には、円筒状の周面同士が接するので、互いの接触面積が少なく、不安定な係止となる。この不安定さを回避するために、大きな力で結ぶ必要があり、係止作業や係止の解除作業が難しくなる。これに対して、このような締め付け代部３，４によれば、部材本体２の円筒状の周面に締め付け代部３，４の帯状の略平面が接し、しかもこの周面に沿うように変形するので、接触面積が大きくなり、安定した係止となる。これに加えて、帯状の締め付け代部３，４を折り込むようにして部材本体２に係止させているので、係止作業に大きな力が不要となり、係止作業や係止の解除作業も迅速化かつ簡易化される。
【００１８】
他方、部材本体２同士を結んで係止させることに比べて、両者が接触した箇所の厚さの増加が締め付け代部３，４の厚さ程度の増加で済む。すなわち、係止した部分がこぶ状に隆起することを回避できる。したがって、保護部材１によって、保護部材１の径の太さの分だけ、複写機１０の周囲を囲んだ均一な離間距離を確保できる。このため、保護部材１を介して複数の複写機１０を密接させた状態で配置でき、収容スペースの利用効率が高まる。この結果、例えば輸送時などに多数の複写機１０が積載でき、輸送効率を向上できる。他方、隣接させた複写機１０，１０同士の間に形成された隙間の面としての奥側の場所に、前記の密接状態を維持しながら、係止した部分を位置させることができる。したがって、この場合には、奥側に係止部分を位置できるので、係止部分が外部に露出されなく人の手が届きにくくなる。このため、車両などへの積み降ろしや人手によって、不用意に係止が解かれることを防止できる。
【００１９】
部材本体２の外面および締め付け代部３，４の複写機１０側に対面した面は、少なくとも複写機１０の外表面に擦れ傷を生じさせない程度の滑らかな表面とされている。すなわち、保護部材１の複写機１０に接する表面は、例えば複写機１０の外表面よりも滑らかな表面とされている。したがって、保護部材１を巻き付ける装着や巻き解く取り外し作業中を含めて、保護部材１が部分的に複写機１０に摺接したり振動したりしても、保護部材１がすべりながら接触するので、複写機１０の外表面を傷付けることを防止できる。
【００２０】
このように構成された保護部材１は、図２に示すように、複写機１０の周囲を巻き回されながら、例えば複写機１０の下部から上部に至るようにして装着される。すなわち、まず保護部材１が複写機１０の下部で少なくとも一周するように巻き付けられ、この周回した箇所に一方の締め付け代部３が手作業で係止される。次に、保護部材１が複写機１０に巻き付けられた箇所が、前面カバー１１などの開閉部を通過し、かつ上下方向で互いに均等な間隔となるように、下部から上部にまでゆるやかな斜め上方向に巻き付けられる。最後に、保護部材１が複写機１０の上部で少なくとも一周するように巻き付けられ、この周回した箇所に他方の締め付け代部４が手作業で係止される。
【００２１】
そして、図３に示すように、トラックなどの回収車両の図示しない積載スペースに、一つおきに保護部材１が装着された複写機１０を配置して、複数の複写機１０が積載され、これらの複写機１０，１０が回収拠点などに輸送される。このため、隣接して積載された複写機１０，１０の間には、必ず保護部材１が介在しているので、複写機１０，１０同士の接触が回避され、各複写機１０，１０のダメ−ジを防止できる。すなわち、回収車両が段差に乗り上げたりしたなどのようにして、突発的な衝撃や大きな振動が生じて、隣接した他の複写機１０と保護部材１が装着された複写機１０とが互いに接触する方向に相対移動する場合、または、複写機１０が搭載箇所の側壁などに接触する方向に移動する場合にも、これらの両者間に介在された保護部材１が内部の空洞部５を縮小するように変形し、衝撃力や振動力が保護部材１吸収されて分散される。このため、保護部材１よりも内側に位置する複写機１０や隣接した他の複写機１０が、これらの衝撃力や振動力によるダメージから保護される。これに加えて、保護部材１の外表面がなめらかに形成されているので、回収車両のエンジンの作動や走行に伴い細かい振動が生じた場合にも、保護部材１とこの保護部材１が装着された複写機１０、または、保護部材１と隣接した他の複写機１０とが滑りながら接触する。同時に、保護部材１が装着された複写機１０と、隣接した複写機１０とを非接触な状態に維持される。このため、これらの複写機１０，１０の外表面に擦れ傷が生じることを防止できる。
【００２２】
他方、このように複写機１０を隣接して積載する場合には、一つおきに保護部材１を装着した複写機１０を配置すれば、すべての複写機１０の保護が図れることになる。すなわち、保護部材１を巻き付けて保護が必要な複写機１０の個数が、最小限の個数として、積載する総個数の半分の個数で済むことになる。このため、保護部材１の装着作業に必要な時間を短縮できる。この結果、作業コストを低減でき、コスト面からリサイクル性の向上を図れる。
【００２３】
これに加えて、保護部材１は、図５（Ａ）〜（Ｃ）に示すように、複写機１０を回収した後の未使用時には、環状にして重ね合わされた状態で収納されており、この収納場所としては、上記の回収車両が選択されている。すなわち、図５（Ａ）では、環状に重ね合わされて束ねた保護部材１が、複写機１０が搭載される車両が有した荷台１５のサイド壁部１６に吊り下げられた状態で収納されている。すなわち、このサイド壁部１６の上部には金具１７が固定されており、この金具１７は、上向きの鉤形状に形成され、束ねた保護部材１が引っ掛けられている。図５（Ｂ）では、保護部材１が、荷台１５の運転席１８側に設置されたフレーム部１９に吊り下げられた状態で収納されている。すなわち、フレーム部１９の上フレームには、前記と同様な構成の金具２０が固定されており、この金具２０に束ねた保護部材１が引っ掛けられている。図５（Ｃ）では、保護部材１が、荷台１５の底面に設置された図示しない数個の金具に固定されて底面に接した状態で収納されている。したがって、これらの各収納場所に、束ねた保護部材１を簡単に収納できる一方、収納場所から簡単に取り出すことができる。
【００２４】
このように保護部材１が未使用時に環状に巻きながら重ね合わして収納するようにしているので、短時間かつ容易に保護部材１を収納することができる。すなわち、保護部材１を収納用具を使用することなく、環状に束ねているので、複写機１０を回収拠点などの輸送先に届けた際には、すみやかに保護部材１を環状に束ねて片付けることができる。これに加えて、収納状態の保護部材１はコンパクトとなり、嵩張ることなく持ち運べるので、簡易に取り扱える。すなわち、複写機１０を回収する際に、束ねた収納状態のまま保護部材１を複写機１０の設置場所に運び、保護部材１を収納状態から解きながら、複写機１０に巻き付けて装着作業を行うことができる。このため、作業性を向上できる。他方、複写機１０を設置場所から移動させる前に、保護部材１による複写機１０の保護が図れるので、回収品質を向上できる。
【００２５】
これに加えて、複数の保護部材１を収納する場合にも、収納スペースの省スペース化を図ることができる。したがって、収納場所の制約が少なくなるので、前記のように製品を回収して輸送する車両などが有した搭載箇所またはこの箇所の近傍に、保護部材１を収納できる。このように回収車両に保護部材１を収納しているので、この収納場所と保護部材１を装着作業する場所とは常に近接することになる。このため、回収作業の一環として、保護部材１の取り出しや収納に掛かる時間を短縮化できる。この結果、作業コストが低廉化され、リサイクル性を向上できる。
【００２６】
このように実施形態によれば、複写機１０などの使用済みの製品を回収するときに回収品を保護するための保護部材を設けたので、使用前の製品を配送するための梱包材や緩衝部材のリサイクルを促進させることができる。すなわち、回収時にまで配送用の梱包材や緩衝部材を保管する必要がなくなり、保管スペースが不要となる。他方、配送用の梱包材や緩衝部材の構成が、製品の回収に使用されることを考慮しなくても済むので、リサイクルに適した設計や材料を選択できる。この結果、製品の配送および回収との両面での梱包材などのリサイクル活動を推進できる。
【００２７】
特に、この保護部材１によって保護されてリサイクルのために回収される複写機１０などの電気製品は、回収による製品品質の低下が防止されるので、電気製品のリサイクル性を充分に確保することが可能となる。すなわち、電気製品を再生製品として市場で販売する場合には、外傷などがなく外観上の美粧性を維持できることから、商品価値を低下させずに済むので、製品リサイクルが可能となる。このため、新規な材料資源の使用が抑制されて、資源消費の低減が図れ、同時に廃棄物量を削減することができる。他方、電気製品の回収品質の向上が図れることから、型製作費や再生費のコスト低減にも有効となる。特に、製品の外装は比較的に大型の部品であり、かつデザイン性が配慮された形状なので、このような外装を部品または製品リサイクルすることにより、型製作費や再生費の大幅な低減効果を得ることができる。これらの結果、電気製品のライフサイクル全体での環境負荷を低減させた高リサイクル性を達成することが可能となる。
【００２８】
他方、保護部材１がゴム材質で、空洞部５を有した略長尺状の部材本体２の両端に、それぞれ締め付け代部３，４を設けた構成により、単一の材料を用いた一体物の成形品として製作できる。これに加えて、保護部材１を製品に巻き付けて装着し、この装着状態を締め付け代部３，４により固定・解除し、製品から巻き解いて取り外しているので、他の部材や固定金具が不要となり、簡素な構成とできる。この結果、保護部材１の低コスト化が図れ、繰り返し使用が可能となり、しかも分解して分別することなく、リサイクルできる。これに加えて、複数のバンド状の緩衝部材を製品に巻き付け、これらの各バンド状の緩衝部材を上下方向に互いに離間させた構成と同様な効果を得ることに加えて、保護部材１が単一の一体物であるので、取り回しが容易であり、しかも装着および取り外しの作業回数も１度で済み、使い勝手を向上できる。
【００２９】
保護部材１を、保護する対象の製品に合わせて、部材としての形状が変形するので、汎用性を充分に確保できる。このため、サイズや外形状などが異なる製品ごとに専用の保護部材を揃える必要がなくなる。この結果、低コスト化を図れるとともに、複数の保護部材１を収納するための収納スペースも最小限で済む。
【００３０】
なお、上述した実施形態では、複写機１０が有した開閉部として前面カバー１１を例示したが、これに限られることなく、開閉部としては、複写機１０が有した上下方向に開閉式、出没式の排紙トレイや手差し給紙トレイ、分離着脱式の用紙トレイなどを含むものとする。要は、開閉部として、複写機１０などの製品が有している外部に露出した可動部や分離可能な部品を対象としてよい。したがって、製品を回収する場合に、保護部材１によって、これらの可動部分や着脱部品をガタツキなく製品に固定した状態にできる。このため、これらが可動して、これら自身や製品自体が損傷したり、輸送時などに隣接して積載された他の製品に接触して傷付けたりすることを防止できる。この結果、リサイクルするための製品や部品の品質を使用直後の状態のまま高品位に確保できる。
【００３１】
【発明の効果】
請求項１の発明によれば、使用済みの製品を回収する際には、ゴム材質で長尺形状に形成された保護部材を製品に巻き付けて装着しているので、この製品に保護部材をすみやかにかつ簡易に装着でき、製品のダメージが加わることを防止できる。すなわち、保護部材がゴム材質で長尺形状に形成され、しかも製品に巻き付けて装着し、製品から巻き解いて取り外す構成なので、保護部材の組立てや分解作業を不要にして、製品への装着作業を簡素化および迅速化できる。この結果、この保護部材によって製品を外部から保護して、製品を回収するために搬出入や輸送したときの衝撃や振動による製品の破損や外傷を防止できる。他方、保護部材の低コスト化が図れるとともに、繰り返し使用が可能となる。これに加えて、保護部材を製品に巻き付けて保護する構成なので、保護部材を製品に装着し、取り外すための作業スペースも少なくて済む。このため、例えば製品を設置場所に置いた状態のまま、保護部材を装着することが可能となる。したがって、この場合には、製品をリサイクル回収のために移動させる早期の段階で、製品を保護できる。このため、回収製品としての品質向上が図れる。
【００３２】
他方、保護部材は予め所定の形状に形成されることなく、保護部材を製品の外面に沿って変形するように巻き付けた構成なので、他種類の製品などのように異なる外形状やサイズに対応することができる。このため、汎用性を拡大して確保できる。これに加えて、製品が有した開閉部が外側に開いたり、着脱可能な部品などが脱落したりすることを防止できる。すなわち、保護部材がゴム材質で長尺形状に形成されて伸縮性が確保されており、しかも製品の外面に沿って保護部材が巻き付けられているので、保護部材によって、これらの開閉部や部品を外側から押えつけることができる。これらの結果、使用済み製品の回収率や回収品質の向上を図ることができ、リサイクル性を向上できる。
【００３３】
請求項２の発明によれば、保護部材の表面が使用済み製品の外表面よりも滑らかな表面となっているので、製品に対して保護部材が部分的に僅かに移動した場合に、製品の外表面に擦過傷が生じることを防止できる。すなわち、製品を搬出入する際に保護部材がずれて擦れたり、輸送時の高周波数で保護部材が細かく振動したりしても、両者が滑りながら接触するので、製品の外表面の擦れ傷が生じることを防止できる。このため、製品としての外観性を維持でき、製品リサイクルした場合にも商品価値を充分に確保できる。他方、製品の外装を分解して部品リサイクルする場合にも、同様に外装部品としての外観性を維持でき、商品価値を充分に確保できる。これらの結果、リサイクル性を向上できる。これに加えて、搬出入時や輸送時での製品の取り扱い性を向上でき、迅速に作業を行うことができる。このため、作業コストを低減でき、コスト面からリサイクル性の向上を図ることができる。
【００３４】
請求項３の発明によれば、保護部材の内部に空洞部が形成され、保護部材を変形しやすくしているので、低周波数の振動によって、製品の外表面に破損・傷などのダメ−ジが生じることを防止できる。すなわち、例えば製品の搬出入時にぶつけたり、輸送時に車両などが段差に乗り上げたりしたなどのようにして、突発的な衝撃や大きな振動が生じる場合がある。これらの場合にも、衝撃力や振動力を受けて、保護部材が空洞部を縮小するように変形する。このため、この変形によって衝撃力や振動力を吸収して分散できるので、保護部材よりも内側に位置する製品を保護できる。これに加えて、輸送時の道路状態による影響を少なくできるので、輸送速度の上昇や輸送経路の選択幅を広げて最適な経路とでき、輸送効率を高めることができる。このため、輸送コストの削減が図れ、輸送コスト面からもリサイクル性の向上を図ることができる。
【００３５】
請求項４の発明によれば、使用済み製品に巻き付けられた保護部材の部分に、係止可能な締付け代部を保護部材の端部に設けているので、金具などの他の係止部材を不要として、使用済み製品への保護部材を取付けや取外す作業をすみやかにかつ容易に行なえる。他方、既に巻き付けられている保護部材の長手方向に沿った任意の箇所を、端部を係止する箇所として選択できる。このため、保護部材の端部を係止する箇所が一定の箇所に固定されてなく、作業者の任意の箇所とされているので、装着作業を簡単化できる。これらの結果、作業コストの節約が図れ、作業コスト面からもリサイクル性の向上を図ることができる。
【００３６】
他方、各製品の剛性強度などの特性に応じた適度な張力を持たせて、保護部材を製品に巻き付けることができる。すなわち、例えば、製品の外装が金属製か合成樹脂製かなどによって、保護部材の張力を増減できる。このため、保護部材による製品の保護能力を強化できる。これに加えて、異形状の製品や大型の製品を回収する場合に、保護部材の長さが不足しても、対応できる。すなわち、何ら特別な金具などを使用することなく、保護部材同士の締付け代部を係止することにより、保護部材を継ぎ足して、長さを補充することができる。このため、保護部材の汎用性が拡充され、広範囲な製品を回収対象とできる。この結果、リサイクル性を向上できる。
【００３７】
請求項５の発明によれば、保護部材の長さは、前記使用済み製品を所定回数、巻き回わせる長さとしているので、製品を充分に保護できる。すなわち、保護部材が製品に巻き回される回数を所定に設定して、製品の側面面積に対する保護部材のカバー面積を、製品の回収条件に応じて確保することができる。したがって、例えば多数の製品を積載して輸送する場合には、これらの製品を隣接させた状態で積載し、製品に巻き回された保護部材同士の上下方向の間隔を、隣接した製品の側面が接触しない程度の間隔に設定することができる。このため、保護部材を巻き回す回数を必要最小限とでき、装着や取り外しに掛かる手間を最小限にできる。したがって、作業効率の向上を図れるとともに、作業コストをさらに削減できる。この結果、コスト面でリサイクル性を向上できる。
【図面の簡単な説明】
【図１】この発明の実施形態を示し、（Ａ）は、保護部材の全体を示す正面図、（Ｂ）は平面図、（Ｃ）は、一端部を示す拡大した斜視図、（Ｄ）は、拡大した右側面図である。
【図２】この実施形態の保護部材が製品に装着された状態を示す斜視図である。
【図３】この実施形態の保護部材を装着した製品が積載された状態を示す概略図である。
【図４】この実施形態の保護部材を示し、締付け代部を係止した状態を示す概略図である。
【図５】この実施形態の保護部材を収納した状態を示し、（Ａ）は、車両のサイド壁部に収納された保護部材の概略図であり、（Ｂ）は、車両のフレーム部に収納された保護部材の概略図であり、（Ｃ）は、荷台の下面に収納された保護部材の概略図である。
【符号の説明】
１  保護部材                        ２  部材本体
３，４  締付け代部                  ５  空洞部
１０  使用済み製品である複写機      １１  外開き式の前面カバー
【図１】
2004203451.tif 000003
【図２】
2004203451.tif 000004
【図３】
2004203451.tif 000005
【図４】
2004203451.tif 000006
【図５】
2004203451.tif 000007